【手続補正書】
【提出日】平成18年10月16日(2006.10.16)
【手続補正１】
【補正対象書類名】特許請求の範囲
【補正対象項目名】全文
【補正方法】変更
【補正の内容】
【特許請求の範囲】
【請求項１】
連続画像又は動画像の一画像を構成する入力画像に対して階層的にフィルタリング処理を施して複数のサブバンドを生成するフィルタリング手段と、
上記フィルタリング手段によって生成された各サブバンドを分割し、所定の大きさの複数の符号ブロックを生成する符号ブロック生成手段と、
上記符号ブロック毎に最上位ビットから最下位ビットに至る複数のビットプレーンを生成するビットプレーン生成手段と、
上記ビットプレーン毎に生成する符号化パスの数を上記符号ブロック毎に制限する符号化パス数制限手段と、
上記ビットプレーン毎にビットモデリングを行い、上記符号ブロック毎に上記符号化パス数制限手段によって制限された数の符号化パスを生成する符号化パス生成手段と、
上記符号化パス生成手段によって生成された上記符号化パスを算術符号化する符号化手段と、
上記符号化手段によって生成された算術符号に基づいて、所定の目標符号量になるように符号化パスを選択する符号量制御手段と、
上記符号量制御手段によって符号量が制御された算術符号にヘッダを加えて符号ストリームを生成する符号ストリーム生成手段とを備え、
上記符号化パス数制限手段は、上記入力画像のある符号ブロックについて制限する符号化パスの数を、上記連続画像又は動画像を構成する複数の画像のうち上記入力画像に対して時間的に直前の画像の同一位置の符号ブロックについて、上記符号量制御手段によって選択された符号化パスの数に基づいて計算する
ことを特徴とする画像符号化装置。
【請求項２】
上記符号化パス数制限手段は、上記連続画像又は動画像を構成する最初の画像については、上記符号ブロック毎に所定数の符号化パスを生成するように制限することを特徴とする請求項１記載の画像符号化装置。
【請求項３】
上記符号化パス数制限手段は、上記連続画像又は動画像を構成する最初の画像については、生成する符号化パスの数を制限しないことを特徴とする請求項１記載の画像符号化装置。
【請求項４】
上記符号化パス数制限手段は、制限すべき符号化パスの数を上記符号ブロック毎、上記サブバンド毎、又は全画面に１つ記録したテーブルを有していることを特徴とする請求項１記載の画像符号化装置。
【請求項５】
連続画像又は動画像の一画像を構成する入力画像に対して階層的にフィルタリング処理を施して複数のサブバンドを生成するフィルタリング手段と、
上記フィルタリング手段によって生成された各サブバンドを分割し、所定の大きさの複数の符号ブロックを生成する符号ブロック生成手段と、
上記符号ブロック毎に最上位ビットから最下位ビットに至る複数のビットプレーンを生成するビットプレーン生成手段と、
処理対象とするビットプレーンの数を上記符号ブロック毎に制限するビットプレーン数制限手段と、
上記ビットプレーン数制限手段によって処理対象とされたビットプレーン毎にビットモデリングを行い、符号化パスを生成する符号化パス生成手段と、
上記符号化パス生成手段によって生成された上記符号化パスを算術符号化する符号化手段と、
上記符号化手段によって生成された算術符号に基づいて、所定の目標符号量になるようにビットプレーンを選択する符号量制御手段と、
上記符号量制御手段によって符号量が制御された算術符号にヘッダを加えて符号ストリームを生成する符号ストリーム生成手段とを備え、
上記ビットプレーン数制限手段は、上記入力画像のある符号ブロックについて処理対象とするビットプレーンの数を、上記連続画像又は動画像を構成する複数の画像のうち上記入力画像に対して時間的に直前の画像の同一位置の符号ブロックについて、上記符号量制御手段によって選択されたビットプレーンの数に基づいて計算する
ことを特徴とする画像符号化装置。
【請求項６】
上記ビットプレーン数制限手段は、上記連続画像又は動画像を構成する最初の画像については、上記符号ブロック毎に処理対象とするビットプレーンの数を所定数に制限することを特徴とする請求項５記載の画像符号化装置。
【請求項７】
上記ビットプレーン数制限手段は、上記連続画像又は動画像を構成する最初の画像については、処理対象とするビットプレーンの数を制限しないことを特徴とする請求項５記載の画像符号化装置。
【請求項８】
上記ビットプレーン数制限手段は、処理対象とすべきビットプレーンの数を上記符号ブロック毎、上記サブバンド毎、又は全画面に１つ記録したテーブルを有していることを特徴とする請求項５記載の画像符号化装置。
【請求項９】
連続画像又は動画像の一画像を構成する入力画像に対して階層的にフィルタリング処理を施して複数のサブバンドを生成するフィルタリング工程と、
上記フィルタリング工程にて生成された各サブバンドを分割し、所定の大きさの複数の符号ブロックを生成する符号ブロック生成工程と、
上記符号ブロック毎に最上位ビットから最下位ビットに至る複数のビットプレーンを生成するビットプレーン生成工程と、
上記ビットプレーン毎に生成する符号化パスの数を上記符号ブロック毎に制限する符号化パス数制限工程と、
上記ビットプレーン毎にビットモデリングを行い、上記符号ブロック毎に上記符号化パス数制限工程にて制限された数の符号化パスを生成する符号化パス生成工程と、
上記符号化パス生成工程にて生成された上記符号化パスを算術符号化する符号化工程と、
上記符号化工程にて生成された算術符号に基づいて、所定の目標符号量になるように符号化パスを選択する符号量制御工程と、
上記符号量制御工程にて符号量が制御された算術符号にヘッダを加えて符号ストリームを生成する符号ストリーム生成工程とを有し、
上記符号化パス数制限工程では、上記入力画像のある符号ブロックについて制限する符号化パスの数を、上記連続画像又は動画像を構成する複数の画像のうち上記入力画像に対して時間的に直前の画像の同一位置の符号ブロックについて、上記符号量制御工程にて選択された符号化パスの数に基づいて計算する
ことを特徴とする画像符号化方法。
【請求項１０】
連続画像又は動画像の一画像を構成する入力画像に対して階層的にフィルタリング処理を施して複数のサブバンドを生成するフィルタリング工程と、
上記フィルタリング工程にて生成された各サブバンドを分割し、所定の大きさの複数の符号ブロックを生成する符号ブロック生成工程と、
上記符号ブロック毎に最上位ビットから最下位ビットに至る複数のビットプレーンを生成するビットプレーン生成工程と、
処理対象とするビットプレーンの数を上記符号ブロック毎に制限するビットプレーン数制限工程と、
上記ビットプレーン数制限工程にて処理対象とされたビットプレーン毎にビットモデリングを行い、符号化パスを生成する符号化パス生成工程と、
上記符号化パス生成工程にて生成された上記符号化パスを算術符号化する符号化工程と、
上記符号化工程にて生成された算術符号に基づいて、所定の目標符号量になるようにビットプレーンを選択する符号量制御工程と、
上記符号量制御工程にて符号量が制御された算術符号にヘッダを加えて符号ストリームを生成する符号ストリーム生成工程とを有し、
上記ビットプレーン数制限工程では、上記入力画像のある符号ブロックについて処理対象とするビットプレーンの数を、上記連続画像又は動画像を構成する複数の画像のうち上記入力画像に対して時間的に直前の画像の同一位置の符号ブロックについて、上記符号量制御工程にて選択されたビットプレーンの数に基づいて計算する
ことを特徴とする画像符号化方法。